(57)【要約】【課題】箱本体の内部に収納されたシートロールからシートを円滑に引き出すことができるシートロール収納箱を提供する。【解決手段】箱本体２０内部において、包装用ラップフィルム等のシートロール１０が、その紙管１１の一端及び他端を箱本体２０の各側板２３、２４に設けた固定軸３１及び可動軸３４に支承させて回転自在に収納される。前記可動軸３４は、側板２４の軸受穴３２及び軸受筒３３に、ロール軸線方向に進退自在に且つ回転自在に軸支され、シートロール１０の収納時は、可動軸位置決め手段により紙管１１他端の支承可能に側板２４内側に進行させられ、またシートロール１０の取り出し時は、可動軸位置決め手段により側板２４内側から後退させられる。【選択図】        図１
2004359275.tif 000002
【特許請求の範囲】
【請求項１】
前後に対向する前板及び後板、両側に対向する一対の側板及び底板からなり、紙管にシートが巻回されてなるシートロールをそのロール軸線が前記両側板の方向に配向するようにして回転自在に内部に収納する箱本体と、前記後板に前後に遥動可能に蝶設された蓋体と、箱本体の前板又は蓋体にロール軸線方向に設けられた切断刃とからなり、箱本体の内部に収納されたシートロールから箱本体の前板外側に所要長さに引き出されたシートを、蓋体による箱本体の閉鎖下に切断刃に押し当てつつ切断するようにしたシートロール収納箱において、
箱本体の一方の側板内側にロール軸線方向に突設されると共にシートロールの紙管の一端をそれに挿通されて回転自在に支持する固定軸と、箱本体の他方の側板にロール軸線方向に穿設された軸受穴と、前記他方の側板外側に、前記軸受穴と同軸上にロール軸線方向に突設された軸受筒と、前記他方の側板の軸受穴及び軸受筒にそれらに挿通されてロール軸線方向に進退自在に且つ回転自在に軸支され、該側板内側への進行時にはシートロールの紙管の他端をそれに挿通されて回転自在に支持すると共に該側板内側からの後退時には箱本体に対するシートロールの出し入れを可能にする可動軸と、可動軸表面に突設された突起並びに軸受筒に前記突起の案内可能に穿設された、ロール軸線方向に延びる軸方向穴及びその近端側で連通する円周方向に延びる周方向穴からなり、周方向穴の遠端側への突起の配置時には可動軸を前記他方の側板内側に進行した状態に保持すると共に軸方向穴の遠端側への突起の配置時には可動軸を前記他方の側板内側から後退させる可動軸位置決め手段とを備えたことを特徴とするシートロール収納箱。
【請求項２】
可動軸位置決め手段が、可動軸の外端に設けられると共に該可動軸をロール軸線方向及び円周方向に駆動するための操作用把持部を含むものである、請求項１に記載のシートロール収納箱。
【請求項３】
可動軸上の突起が周方向穴の遠端側及び軸方向穴の遠端側に配置されたときに、可動軸と軸受筒とが一時的に固定されるようにした、請求項１又は２に記載のシートロール収納箱。
【発明の詳細な説明】
【０００１】
【産業上の利用分野】
本発明は、紙管に包装用ラップフィルム、アルミフォイルその他のシートが巻回されてなるシートロールを収納して小出しに使用することを可能にしたシートロール収納箱に関する。
【０００２】
【従来の技術】
前記シートロール収納箱として、例えば特開２０００−４２９７５号、特開２００１−１６３３２８号、特開２００２−５９９３７号、特開２００２−１４５２７６号及び特開２００２−３２６７４３号等の公開公報に開示されるように、前後に対向する前板及び後板、両側に対向する一対の側板及び底板からなり、紙管にシートが巻回されてなるシートロールをそのロール軸線が前記両側板の方向に配向するようにして回転自在に内部に収納する箱本体と、前記後板に前後に遥動可能に蝶設された蓋体と、箱本体の前板又は蓋体にロール軸線方向に設けられた切断刃とからなり、箱本体の内部に収納されたシートロールから箱本体の前板外側に所要長さに引き出されたシートを、蓋体による箱本体の閉鎖下に切断刃に押し当てつつ切断するようにしたものが広く知られている。
【０００３】
前記構成において、箱本体の内部に収納されたシートロールから箱本体の前板外側に所要長さにシートを引き出す際には、該シートロール自体が箱本体の内部で変動し、さらには箱本体から脱落し易く、前記シートの引き出しに支障が生じる問題があった。
【０００４】
前記の従来技術の中で、特開２００２−１４５２７６号に係るシートロール収納箱では、シートロールの紙管の各端が箱本体の各側板内側に設けたＵ字状溝に収容され、また特開２００２−３２６７４３号に係るシートロール収納箱では、中空無芯に構成したシートロールの中空部に挿入された支持軸の各端が箱本体の各側板内側に設けたＵ字状のロール保持溝に挿入されており、これらの従来技術では、箱本体の内部に収納されたシートロールが箱本体の各側板内側に直接的又は間接的に支承されているので、前記のようなシートの引き出しに伴うシートロールの変動や脱落の問題は解消されているものと思われる。
【０００５】
【発明が解決しようとする課題】
しかしながら、シートロールの紙管の各端が箱本体の各側板内側の各溝に直接軸支されるものでは、シートの引出しに伴うシートロールの回転に際して該シートロール側面が箱本体の各側板内側と接触し易く、それによってシートロールの回転が阻害されたり、シートロール側面が破損したりすることがあり、また中空無芯に構成したシートロールの中空部に挿入された支持軸の各端が箱本体の各側板内側の各溝に軸支されるものでは、中空無芯に構成したシートロールを特別に製造する必要がある上に、シートロールの交換に際して支持軸を箱本体の各側板内側の各溝から一旦取り外す必要があった。
【０００６】
本発明の解決すべき課題は、箱本体の内部に収納されたシートロールから箱本体の前板外側に所要長さにシートを引き出す際に、シートロールがその側面において箱本体の各側板内側と接触することなく円滑に回転すると共に大きな変動や脱落を生じることがないシートロール収納箱を提供することにある。
【０００７】
【課題を解決するための手段】
本発明に係るシートロール収納箱は、前後に対向する前板及び後板、両側に対向する一対の側板及び底板からなり、紙管にシートが巻回されてなるシートロールをそのロール軸線が前記両側板の方向に配向するようにして回転自在に内部に収納する箱本体と、前記後板に前後に遥動可能に蝶設された蓋体と、箱本体の前板又は蓋体にロール軸線方向に設けられた切断刃とからなり、箱本体の内部に収納されたシートロールから箱本体の前板外側に所要長さに引き出されたシートを、蓋体による箱本体の閉鎖下に切断刃に押し当てつつ切断するようにしたシートロール収納箱において、
箱本体の一方の側板内側にロール軸線方向に突設されると共にシートロールの紙管の一端をそれに挿通されて回転自在に支持する固定軸と、箱本体の他方の側板にロール軸線方向に穿設された軸受穴と、前記他方の側板外側に、前記軸受穴と同軸上にロール軸線方向に突設された軸受筒と、前記他方の側板の軸受穴及び軸受筒にそれらに挿通されてロール軸線方向に進退自在に且つ回転自在に軸支され、該側板内側への進行時にはシートロールの紙管の他端をそれに挿通されて回転自在に支持すると共に該側板内側からの後退時には箱本体に対するシートロールの出し入れを可能にする可動軸と、可動軸表面に突設された突起並びに軸受筒に前記突起の案内可能に穿設された、ロール軸線方向に延びる軸方向穴及びその近端側で連通する円周方向に延びる周方向穴からなり、周方向穴の遠端側への突起の配置時には可動軸を前記他方の側板内側に進行した状態に保持すると共に軸方向穴の遠端側への突起の配置時には可動軸を前記他方の側板内側から後退させる可動軸位置決め手段とを備えたことを特徴としている。
【０００８】
前記構成において、可動軸位置決め手段により、可動軸上の突起が、軸受筒における軸方向穴の遠端側からその近端側及び周方向穴の近端側を経由して周方向穴の遠端側に配置されたとき、可動軸は箱本体における他方の側板内側に進行した状態に保持され、それによって、箱本体内部に収納されたシートロールは、その紙管の一端を固定軸に回転自在に支承させる一方、その紙管の他端を前記のように他方の側板内側に進行した可動軸に回転自在に支承させて、シートの引出しに際して箱本体内部で円滑に回転させられることになる。
【０００９】
また、可動軸位置決め手段により、可動軸上の突起が、軸受筒における前記周方向穴の遠端側からその近端側及び軸方向穴の近端側を経由して軸方向穴の遠端側に配置されたとき、可動軸は箱本体における他方の側板内側から後退し、それによって、箱本体内部に収納されていたシートロールは、その紙管の一端を固定軸から離脱させて、箱本体から容易に取り出されることが可能になる。
【００１０】
また、前記シートロールの取り出し後における新規シートロールの箱本体内部への収納に際しては、該新規シートロールが、その紙管の一端を固定軸に支承させて箱本体内部に収納された後、前記可動軸位置決め手段により、可動軸上の突起が、前記軸方向穴の遠端側からその近端側及び周方向穴の近端側を経由して周方向穴の遠端側に配置され、それによって、箱本体内部に収納された前記新規シートロールは、その紙管の一端を固定軸に回転自在に支承させると共に他端を他方の側板内側に進行した可動軸に回転自在に支承させて、シートの引出しに際して箱本体内部で円滑に回転させられることになる。
【００１１】
前記のように、可動軸上の突起を軸方向穴の遠端側と周方向穴の遠端側の二位置とに配置させるために、外部に露出した可動軸自体や可動軸上の突起を操作して該可動軸をロール軸線方向及び円周方向に駆動してもよいが、前記操作をより容易に行なうために、例えば可動軸の外端に設けられた操作用把持部が前記可動軸位置決め手段に設けられてもよい。
【００１２】
前記のように、箱本体内部に収納されたシートロールをシートの引出しに際して箱本体内部で円滑に回転し得るように安定に保持するために、また箱本体内部に収納されたシートロールを箱本体から容易に取り出すと共に空の箱本体内部に新規のシートロールをシートの引出しに際して円滑に回転し得るように収納させる各作業を容易にするために、前記可動軸位置決め手段により、可動軸上の突起が、前記のように周方向穴の遠端側に配置され、或いは軸方向穴の遠端側に配置された状態に保持する手段を設けることが好ましい。
【００１３】
前記配置状態の保持手段として、可動軸上の突起が周方向穴の遠端側及び軸方向穴の遠端側に配置されたときに、可動軸と軸受筒とが一時的に固定される機構を好適に採用することができ、例えば、可動軸上の突起が周方向穴の遠端側及び軸方向穴の遠端側と脱着可能に圧接されるようにしてもよい。
【００１４】
なお、本発明に係るシートロール収納箱において、箱本体の内部に収納されたシートロールから箱本体の前板外側に所要長さに引き出されたシートの切断態様に特別の限定はなく、例えば、箱本体の前板外側に所要長さに引き出されたシートが箱本体を閉鎖した蓋体により押圧された状態で切断刃に押し当てられる態様でもよく、また前記シートが蓋体による箱本体の閉鎖に伴って切断刃に押し当てられる態様でもよい。
【００１５】
【発明の実施の形態】
図１（Ａ）、（Ｂ）は本発明の実施例に係るシートロール収納箱のシートロール収納時における各々開蓋横断面図及び閉蓋中央縦断面図、図２は図１に示すシートロール収納箱のシートロール離脱時における開蓋要部横断面図である。
【００１６】
図１において、前後に対向する前板２１及び後板２２、両側に対向する一対の側板２３、２４及び底板２５からなる箱本体２０の内部には、紙管１１にシート１２が巻回されてなるシートロール１０がそのロール軸線を前記両側板２３、２４の方向に配向させて回転自在に収納されている。また、前記箱本体２０の後板２２には蓋体４０が蝶番４１を介して前後に遥動可能に、従って箱本体２０の開閉可能に蝶設され、前記蓋体４０における前記箱本体２０の前板２１と対面する端縁には鋸刃状の切断刃４２がロール軸線方向に付設されている。
【００１７】
さらに、箱本体２０の一方の側板２３内側には円柱状の固定軸３１がロール軸線方向に突設され、前記固定軸３１にはシートロール１０の紙管１１の一端がそれに挿通されて回転自在に支持されている。前記固定軸３１は、前記側板２３内側に回転自在に支承されていても差し支えない。
【００１８】
また、箱本体２０の他方の側板２４には軸受穴３２がロール軸線方向に穿設され、前記側板２４外側には軸受筒３３が前記軸受穴３２と同軸上にロール軸線方向に突設され、さらに前記側板２４の軸受穴３２及び軸受筒３３には、円柱状の可動軸３４がそれらに挿通されてロール軸線方向に進退自在に且つ回転自在に軸支されている。
【００１９】
前記可動軸３４表面には前記他方の側板２４外側において突起３５が突設されると共に軸受筒３３にはロール軸線方向に延びる軸方向穴３６及びその近端側で連通する円周方向に延びる周方向穴３７が前記突起３５の案内可能に穿設され、また前記可動軸３４の外端には該可動軸３４をロール軸線方向及び円周方向に駆動するための摘まみ状の操作用把持部３８が設けられている。前記突起３５、軸方向穴３６、周方向穴３７及び操作用把持部３８等は、協働して本発明における可動軸位置決め手段を構成する。
【００２０】
図１（Ａ）に示す状態では、前記可動軸位置決め手段により、可動軸３４上の突起３５が、軸受筒３３における周方向穴３７の近端側を経由してその遠端側に配置されると共に該周方向穴３７の遠端側と圧接されて一時的に固定され、可動軸３４は、箱本体２０における他方の側板２４内側に所要距離だけ進行した状態に保持される。前記状態において、箱本体２０内部に収納されたシートロール１０は、その紙管１１の一端を既述のように固定軸３１に回転自在に支承される一方、その紙管１１の他端を前記のように他方の側板２４内側に進行した可動軸３４に回転自在に支承され、箱本体２０の内部に収納されたシートロール１０からのシート１２の引出しに際して箱本体２０内部で円滑に回転させられる。箱本体２０の内部のシートロール１０から箱本体２０の前板２１外側に所要長さに引き出された前記シート１２は、図１（Ｂ）に示すように、箱本体２０を閉鎖した蓋体４０により押圧された状態で、該蓋体４端縁上の切断刃４２に押し当てられ、切断されることになる。
【００２１】
また、箱本体２０内部からのシートロール１０の取り出しに際しては、図２に示すように、前記可動軸位置決め手段により、可動軸３４上の突起３５が、軸受筒３３における前記周方向穴３７の遠端側からその近端側及び軸方向穴３６の近端側を経由して軸方向穴３６の遠端側に配置されると共に該軸方向穴３６の遠端側と圧接されて一時的に固定され、可動軸３４は箱本体２０における他方の側板２４内側から後退した状態に保持される。前記状態において、箱本体２０内部に収納されていたシートロール１０は、その紙管１１の一端を固定軸３１から離脱させて、箱本体２０から容易に取り出されることが可能になる。
【００２２】
【発明の効果】
本発明に係るシートロール収納箱は以上のように構成されるので、箱本体の内部に収納されたシートロールから箱本体の前板外側に所要長さにシートを引き出す際に、シートロールがその側面において箱本体の各側板内側と接触することなく円滑に回転すると共に大きな変動や脱落を生じることがない。
【００２３】
また、前記構成において、可動軸位置決め手段が可動軸の外端に設けられた操作用把持部を含むものでは、可動軸上の突起を軸方向穴の遠端側と周方向穴の遠端側の二位置とに配置させるために、可動軸をロール軸線方向及び円周方向に駆動する操作をより容易に行なうことができる。
【００２４】
さらに、前記構成において、配置状態の保持手段を設けたものでは、箱本体内部に収納されたシートロールをシートの引出しに際して箱本体内部で円滑に回転し得るように安定に保持し、また箱本体内部に収納されたシートロールを箱本体から容易に取り出すと共に空の箱本体内部に新規のシートロールをシートの引出しに際して円滑に回転し得るように収納させる各作業を容易にする。
【図面の簡単な説明】
【図１】図１（Ａ）、（Ｂ）は本発明の実施例に係るシートロール収納箱のシートロール収納時における各々開蓋横断面図及び閉蓋中央縦断面図である。
【図２】図２は図１に示すシートロール収納箱のシートロール離脱時における開蓋要部横断面図である。
【符号の説明】
１０  シートロール
１１  紙管
１２  シート
２０  箱本体
２１  前板
２２  後板
２３  側板
２４  側板
２５  底板
３１  固定軸
３２  軸受穴
３３  軸受筒
３４  可動軸
３５  突起
３６  軸方向穴
３７  周方向穴
３８  操作用把持部
４０  蓋体
４１  蝶番
４２  切断刃
【図１】
2004359275.tif 000003
【図２】
2004359275.tif 000004